(57)【要約】【課題】電子機器装置において、筺体の上面に埃を溜まり難くする。【解決手段】電子機器装置であるＤＶＤレコーダ１は、筺体１１と、筺体１１の外部と内部との間で空気を流通させるファン１３と、ファン１３が逆方向に回転したときに筺体１１の内部から外部に流出した空気を、筺体１１の上面に沿って流通させる流通ガイド１５とを備える。ＤＶＤレコーダ１は、電源がオンになっているとき、筺体１１の内部の温度上昇を抑えるために、ファン１３を順方向に回転させ、ユーザにより電源をオフにする指示がなされると、ファン１３を逆方向に所定時間回転させた後に、電源をオフにする。ファン１３を逆方向に回転させたときに筺体１１の内部から外部に流出した空気が、流通ガイド１５の働きによって筺体１１の上面（上壁５０の表面）に沿って流通し、この筺体１１の上面に沿って流通する空気によって、筺体１１の上面の埃が飛ばされる。【選択図】図１
2011018827.tif 000002
【特許請求の範囲】
【請求項１】
筺体と、回転することにより空気の流れを発生させ、前記筺体の外部と内部との間で空気を流通させるファンと、を備える電子機器装置において、
前記ファンが回転したときに前記筺体の内部から外部に流出した空気を、前記筺体の上面に沿って流通させる流通手段をさらに備える、
ことを特徴とする電子機器装置。
【請求項２】
前記ファンは、順方向と逆方向とに回転可能であり、
前記流通手段は、
前記ファンが逆方向に回転したときに前記筺体の内部から外部に流出した空気を、前記筺体の上面に沿って流通させる、
ことを特徴とする請求項１に記載の電子機器装置。
【請求項３】
本装置の動作を制御する制御手段をさらに備え、
前記制御手段は、
本装置の電源がオンになっているとき、前記筺体内部の温度上昇を抑えるために、前記ファンを順方向に回転させ、
ユーザにより本装置の電源をオフにする指示がなされると、前記ファンを逆方向に所定時間回転させた後に、本装置の電源をオフにする、
ことを特徴とする請求項２に記載の電子機器装置。
【請求項４】
前記筺体の上面の所定領域を帯電させる帯電手段と、
本装置の動作を制御する制御手段と、をさらに備え、
前記流通手段は、
前記ファンが逆方向に回転したときに前記筺体の内部から外部に流出した空気を、前記所定領域を通過するように、前記筺体の上面に沿って流通させ、
前記制御手段は、
本装置の電源がオンになっているとき、前記筺体内部の温度上昇を抑えるために、前記ファンを順方向に回転させ、
ユーザにより本装置の電源をオフにする指示がなされると、前記帯電手段により前記所定領域を一時的に帯電させ、その後、前記ファンを所定時間逆方向に回転させた後に、本装置の電源をオフにする、
ことを特徴とする請求項２に記載の電子機器装置。
【発明の詳細な説明】
【技術分野】
【０００１】
本発明は、筺体の外部と内部との間で空気を流通させるファンを備える電子機器装置に関するものである。
【背景技術】
【０００２】
従来から、電子機器装置は、一般的に、筺体の内部の温度上昇を抑えるために、筺体の内部にファンを備えており、ファンを回転させて、筺体の外部と内部との間で空気を流通させることにより、筺体の内部の温度上昇を抑えるようにしている。筺体の外部と内部との間の空気の流通は、筺体に形成された通気口を介して行われる。
【０００３】
また、このような電子機器装置において、通気口とファンとの間に埃フィルタを配置したものがあり、ファンを逆回転させることにより、埃フィルタに付着した埃を除去するようにしたものが知られている（例えば特許文献１乃至特許文献４参照）。
【先行技術文献】
【特許文献】
【０００４】
【特許文献１】特開平３−２１９４８７号公報
【特許文献２】特開平７−１３０１６１号公報
【特許文献３】特開平９−１２０６７０号公報
【特許文献４】実開平５−２０３８７号公報
【発明の概要】
【発明が解決しようとする課題】
【０００５】
ところで、上述した従来の電子機器装置においては、筺体の上面に埃が溜まり易く、筺体の上面に埃が溜まった場合、その埃を取り除くには、ユーザが筺体の上面を拭き取るなどの行為をする必要がある。このような行為は、ユーザにとって、煩わしいものである。なお、上述した特許文献１乃至特許文献４に開示の内容を適用したとしても、上記の問題を解決することはできない。
【０００６】
本発明は、上記課題を解決するためになされたものであり、筺体の上面に埃を溜まり難くすることができる電子機器装置を提供することを目的とする。
【課題を解決するための手段】
【０００７】
上記目的を達成するために請求項１の発明は、筺体と、回転することにより空気の流れを発生させ、筺体の外部と内部との間で空気を流通させるファンと、を備える電子機器装置において、ファンが回転したときに筺体の内部から外部に流出した空気を、筺体の上面に沿って流通させる流通手段をさらに備えるものである。
【０００８】
請求項２の発明は、請求項１に記載の電子機器装置において、ファンは、順方向と逆方向とに回転可能であり、流通手段は、ファンが逆方向に回転したときに筺体の内部から外部に流出した空気を、筺体の上面に沿って流通させるものである。
【０００９】
請求項３の発明は、請求項２に記載の電子機器装置において、本装置の動作を制御する制御手段をさらに備え、制御手段は、本装置の電源がオンになっているとき、筺体内部の温度上昇を抑えるために、ファンを順方向に回転させ、ユーザにより本装置の電源をオフにする指示がなされると、ファンを逆方向に所定時間回転させた後に、本装置の電源をオフにするものである。
【００１０】
請求項４の発明は、請求項２に記載の電子機器装置において、筺体の上面の所定領域を帯電させる帯電手段と、本装置の動作を制御する制御手段と、をさらに備え、流通手段は、ファンが逆方向に回転したときに筺体の内部から外部に流出した空気を、所定領域を通過するように、筺体の上面に沿って流通させ、制御手段は、本装置の電源がオンになっているとき、筺体内部の温度上昇を抑えるために、ファンを順方向に回転させ、ユーザにより本装置の電源をオフにする指示がなされると、帯電手段により所定領域を一時的に帯電させ、その後、ファンを所定時間逆方向に回転させた後に、本装置の電源をオフにするものである。
【発明の効果】
【００１１】
請求項１乃至請求項３の発明によれば、ファンの回転によって筺体の内部から外部に流出した空気が、流通手段の働きによって筺体の上面に沿って流通し、この筺体の上面に沿って流通する空気によって、筺体の上面の埃が飛ばされて、筺体の上面の埃が除去される。これにより、筺体の上面に埃を溜まり難くすることができる。しかも、ファンは、筺体の外部と内部との間で空気を流通させるものであるので、筺体の内部の温度上昇を抑えるためのファンを兼用して、筺体の上面に埃を溜まり難くすることができる。これにより、安価な構成によって、筺体の上面に埃を溜まり難くする構成を実現することができる。
【００１２】
請求項４の発明によれば、筺体の上面の所定領域を帯電させることにより、静電気によって、筺体の上面の埃が筺体の上面の所定領域に集められ、その後、ファンの回転及び流通手段の働きにより流通する空気によって、筺体の上面の所定領域に集められた埃が飛ばされる。これにより、より一層、筺体の上面に埃を溜まり難くすることができる。
【図面の簡単な説明】
【００１３】
【図１】（ａ）は本発明の一実施形態に係るＤＶＤレコーダの概略構成を示す斜視図、（ｂ）は同断面図。
【図２】同ＤＶＤレコーダの電気的ブロック構成図。
【図３】同ＤＶＤレコーダの埃除去動作を示すフローチャート。
【発明を実施するための形態】
【００１４】
以下、本発明を具体化した実施形態による電子機器装置について図面を参照して説明する。図１（ａ）（ｂ）は、本実施形態による電子機器装置であるＤＶＤレコーダの構成を示す。ＤＶＤレコーダ１は、テレビジョン放送局から放送されるテレビジョン信号を受信して、テレビジョン信号に基く番組をＤＶＤ８０に録画し、ＤＶＤ８０に録画した番組を、本装置に接続されるディスプレイ（不図示）によって再生する装置である。
【００１５】
ＤＶＤレコーダ１は、テレビジョン信号の受信やテレビジョン信号に基く番組の録画等を行うレコーダ本体１０と、レコーダ本体１０と別体に構成され、ユーザがＤＶＤレコーダ１の各種動作を遠隔制御するために操作するリモコン（リモートコントローラ）２０とを備える。
【００１６】
レコーダ本体１０は、筺体１１と、リモコン受光部１２と、ファン１３と、帯電処理部（帯電手段）１４と、流通ガイド（流通手段）１５等を備える。このＤＶＤレコーダ１は、筺体１１の上面（筺体１１の上壁５０の表面）の埃を除去する機能を備えている。
【００１７】
筺体１１は、金属製であり、導電性を有している。筺体１１には、ＤＶＤ８０を挿入するためのＤＶＤ挿入口４１と、筺体１１の外部と内部との間で空気を流通させるための通気口４２、４３、４４が設けられている。ＤＶＤ挿入口４１は、筺体１１の前壁５１に設けられている。通気口４２は、筺体１１の左側壁５２に設けられており、通気口４３は、筺体１１の右側壁５３に設けられており、通気口４４は、筺体１１の後壁５４に設けられている。リモコン受光部１２は、筺体１１の前壁５１に設けられている。
【００１８】
ファン１３は、筺体１１の内部の温度上昇を抑えるために、筺体１１の外部と内部との間で空気を流通させるものであり、筺体１１の内部における通気口４２に臨む位置に配置されている。ファン１３は、順方向と逆方向とに回転可能であり、後述する制御部による制御のもと、回転される。
【００１９】
ファン１３は、回転することにより空気の流れを発生させ、筺体１１の外部と内部との間で空気を流通させる。ファン１３が順方向に回転したときには、通気口４２を介して筺体１１の外部から筺体１１の内部に空気が流入すると共に、通気口４３、４４を介して筺体１１の内部から筺体１１の外部に空気が流出し、一方、ファン１３が逆方向に回転したときには、通気口４３、４４を介して筺体１１の外部から筺体１１の内部に空気が流入すると共に、通気口４２を介して筺体１１の内部から筺体１１の外部に空気が流出する。筺体１１の外部と内部との間で空気が流通することにより、筺体１１の内部の温度上昇が抑えられる。
【００２０】
帯電処理部１４は、筐体１１の上面の埃を集めるために、筺体１１の上面の所定領域を帯電させるものであり、筐体１１の上面の所定領域の下方位置（上壁５０の下方位置）に配置されている。帯電処理部１４は、導電性部材により構成されており、後述する制御部による制御のもと、電圧が印加された状態と電圧が印加されていない状態とにされる。帯電処理部１４と筐体１１の上壁５０との間には、絶縁部材６０が設けられている。
【００２１】
帯電処理部１４は、電圧が印加されることにより、筺体１１の上面の所定領域（帯電処理部１４の上方に位置する領域）を帯電させる。つまり、帯電処理部１４に電圧が印加されると、帯電処理部１４に電荷が蓄えられ、これにより、帯電処理部１４に蓄えられた電荷と逆極性の電荷が筺体１１の上面の所定領域に集まり、筺体１１の上面の所定領域が帯電した状態となる。筺体１１の上面の所定領域が帯電することにより、静電気によって、筺体１１の上面の埃が筺体１１の上面の所定領域に引き寄せられて集められる。
【００２２】
流通ガイド１５は、筐体１１の上面の埃を除去するために、筺体１１の上面に沿って空気を流通させるものである。この流通ガイド１５は、ファン１３が逆方向に回転したときに通気口４２を介して筺体１１の内部から外部に流出した空気を、筺体１１の上面の所定領域を通過するように、筺体１１の上面に沿って流通させるようになっている。
【００２３】
流通ガイド１５は、通気口４２を覆っており、筺体１１の左側壁５２との間に、通気口４２と連通する空間１５ａを形成している。また、流通ガイド１５は、筺体１１の上壁５０の一部を覆っており、筺体１１の上壁５０との間に、空間１５ａと連通する隙間１５ｂを形成している。隙間１５ｂは、筺体１１の上壁５０の幅全体に亘って形成されている。従って、ファン１３が逆方向に回転したときに通気口４２を介して筺体１１の内部から外部に流出した空気は、空間１５ａを経由して隙間１５ｂから流出して、筺体１１の上面の所定領域を通過するように、筺体１１の上面に沿って流通することになる。筺体１１の上面の所定領域を通過するように、筺体１１の上面に沿って空気が流通することにより、筐体１１の上面の埃（筺体１１の上面の所定領域に集められた埃、及び他の領域の埃）が飛ばされて、筐体１１の上面の埃が除去される。
【００２４】
図２は、ＤＶＤレコーダ１の電気的ブロック構成を示す。ＤＶＤレコーダ１は、上述の構成に加え、チューナ１６と、デコーダ１７と、ＤＶＤドライブ１８と、ＤＶＤレコーダ１の動作を制御する制御部（制御手段）１９等を備える。チューナ１６、デコーダ１７、ＤＶＤドライブ１８、及び制御部１９は、レコーダ本体１０（筺体１１）内に設けられている。
【００２５】
リモコン２０は、ユーザに操作されることにより赤外線を発光し、赤外線の発光によって、ユーザによるリモコン２０の操作内容を示す操作信号を送信する。リモコン受光部１２は、リモコン２０から発光された赤外線を受光して、ユーザによるリモコン２０の操作内容を示す操作信号を電気信号によって出力する。ファン１３は、制御部１９による制御のもと、回転される。帯電処理部１４は、制御部１９による制御のもと、電圧が印加された状態と電圧が印加されていない状態とにされ、電圧が印加されることにより、上述のように筺体１１の上面の所定領域（帯電処理部１４の上方に位置する領域）を帯電させる。
【００２６】
チューナ１６は、制御部１９による制御のもと、受信周波数がテレビジョン信号の放送チャンネルに対応する周波数に設定されることにより、そのチャンネル（その周波数）のテレビジョン信号を受信し、受信したテレビジョン信号を出力する。デコーダ１７は、制御部１９による制御のもと、チューナ１６から出力されたテレビジョン信号をデコード処理して、テレビジョン信号に基く番組の映像信号及び音声信号を出力する。
【００２７】
ＤＶＤドライブ１８は、制御部１９による制御のもと、デコーダ１７から出力された映像信号及び音声信号をＤＶＤ８０に記録する。また、ＤＶＤドライブ１８は、制御部１９による制御のもと、ＤＶＤ８０に記録されている映像信号及び音声信号を読出す。
【００２８】
制御部１９は、ＤＶＤレコーダ１の動作を制御するためのプログラムや各種データを記憶したメモリを有しており、このメモリに記憶しているプログラムや各種データに基いて、ＤＶＤレコーダ１の各種動作を制御する。そして、制御部１９は、リモコン受光部１２から出力される操作信号に基いて、ユーザによる指示内容を判断し、ユーザによる指示内容に応じて、ＤＶＤレコーダ１の各種動作を実行する。
【００２９】
すなわち、制御部１９は、ユーザによりＤＶＤレコーダ１の電源をオンにする指示がなされると、ＤＶＤレコーダ１の電源をオンにし、ユーザによりＤＶＤレコーダ１の電源をオフにする指示がなされると、ＤＶＤレコーダ１の電源をオフにする。そして、制御部１９は、ＤＶＤレコーダ１の電源がオンになっているとき、ユーザによりＤＶＤレコーダ１の電源をオフにする指示がなされるまでの間、筺体１１の内部の温度上昇を抑えるために、ファン１３を順方向に回転させる。また、制御部１９は、ユーザによりＤＶＤレコーダ１の電源をオフにする指示がなされたとき、筺体１１の上面の埃を除去する埃除去動作を行った後に、ＤＶＤレコーダ１の電源をオフにする。
【００３０】
図３は、上記ＤＶＤレコーダ１の埃除去動作のフローチャートを示す。ユーザによりＤＶＤレコーダ１の電源をオフにする指示がなされると（＃１でＹＥＳ）、制御部１９は、帯電処理部１４により、筺体１１の上面の所定領域を一時的に帯電させる（＃２）。すなわち、制御部１９は、ユーザによりＤＶＤレコーダ１の電源をオフにする指示がなされると、帯電処理部１４に電圧を印加し、その後、帯電処理部１４に電圧を印加しない状態にする。筺体１１の上面の所定領域を一時的に帯電させることにより、静電気によって、筺体１１の上面の埃が筺体１１の上面の所定領域に集められる。
【００３１】
その後、制御部１９は、ファン１３を所定時間逆方向に回転させる（＃３）。ファン１３を所定時間逆方向に回転させることにより、通気口４２を介して筺体１１の内部から筺体１１の外部に空気が流出して、この流出した空気が流通ガイド１５の働きによって筺体１１の上面の所定領域（帯電処理部１４の上方に位置する領域）を通過するように筺体１１の上面に沿って流通し、この筺体１１の上面に沿って流通する空気によって、筺体１１の上面の埃（筺体１１の上面の所定領域に集められた埃、及び他の領域の埃）が飛ばされて、筺体１１の上面の埃が除去される。その後、制御部１９は、ＤＶＤレコーダ１の電源をオフにする（＃４）。
【００３２】
このような構成のＤＶＤレコーダ１によれば、ユーザによりＤＶＤレコーダ１の電源をオフにする指示がなされたとき、ファン１３が逆方向に回転され、ファン１３の逆方向の回転によって筺体１１の内部から外部に流出した空気が、流通ガイド１５の働きによって筺体１１の上面に沿って流通する。そして、この筺体１１の上面に沿って流通する空気によって、筺体１１の上面の埃が飛ばされて、筺体１１の上面の埃が除去される。これにより、筺体１１の上面に埃を溜まり難くすることができる。
【００３３】
しかも、ファン１３は、筺体１１の外部と内部との間で空気を流通させるものであるので、筺体１１の内部の温度上昇を抑えるためのファンを兼用して、筺体１１の上面に埃を溜まり難くすることができる。これにより、安価な構成によって、筺体１１の上面に埃を溜まり難くする構成を実現することができる。
【００３４】
また、筺体１１の上面の所定領域を帯電させることにより発生する静電気によって、筺体１１の上面の埃が筺体１１の上面の所定領域に集められ、その後、ファン１３の逆方向の回転及び流通ガイド１５の働きにより流通する空気によって、筺体１１の上面の所定領域に集められた埃が飛ばされる。これにより、より一層、筺体１１の上面に埃を溜まり難くすることができる。
【００３５】
なお、本発明は、上記実施形態の構成に限られず、種々の変形が可能である。例えば、ユーザにより電源をオフにする指示がなされたときに限られず、電源をオンした直後や、電源オンから所定時間経過毎に、ファンを逆方向に回転させて、筐体の上面の埃を除去するようにしてもよい。また、流通ガイドは、ファンが逆方向に回転したときに筺体の内部から外部に流出した空気ではなく、ファンが順方向に回転したときに筺体の内部から外部に流出した空気を、筺体の上面に沿って流通させるものであってもよい。
【符号の説明】
【００３６】
１    ＤＶＤレコーダ（電子機器装置）
１０    レコーダ本体
１１    筺体
１２    リモコン受光部１２
１３    ファン
１４    帯電処理部（帯電手段）
１５    流通ガイド（流通手段）
１５ａ    空間
１５ｂ    隙間
１６    チューナ
１７    デコーダ
１８    ＤＶＤドライブ
１９    制御部（制御手段）
２０    リモコン
４１    ＤＶＤ挿入口
４２、４３、４４    通気口
５０    筐体の上壁
５１    筐体の前壁
５２    筐体の左側壁
５３    筐体の右側壁
５４    筐体の後壁
６０    絶縁部材
８０    ＤＶＤ
【図１】
2011018827.tif 000003
【図２】
2011018827.tif 000004
【図３】
2011018827.tif 000005